(57)【要約】      （修正有）【課題】簡単な操作で折り戸を両方向に取り外し可能とし、折り戸を中折れせず浴室側および脱衣室側に開くことを可能とし、緊急時および事故発生時に安全かつ敏速に、人物の救出ができるようにする折り戸の安全開閉および固定機構を提供する。【解決手段】ドア体２の上部両角の２箇所およびドア体の下部両角の２箇所に自由自在に動くことを特徴とした全方位移動型球体構造の戸車８を設け、上部専用レール４と下部専用レール５に全方位移動型球体構造の戸車取り出し口２１ａ，３１ａ，２２ａ，３１ｂを両方向に設け、子供から高齢者まで簡単な操作で折り戸を両方向に取り外し可能とする。その結果、浴室内で脱衣室側のドア面の水流し清掃や従来清掃不可能であった箇所も清掃可能となり、さらに事故発生時は、脱衣室側に取り外すし、外した折り戸をタンカとして利用することもでき、安全かつ敏速に人物の救出ができる。【選択図】図２
0003162172.tif 000002
【実用新案登録請求の範囲】
【請求項１】
両方向取り外し可能な折り戸であって、折り戸の上部下部両角に本考案の全方位移動型球体構造の戸車を設け、上部専用レールおよび下部専用レールの両角に、本考案の全方位移動型球体構造の戸車取り出し口を設け、全方位移動型球体構造の戸車をビスやネジ等の固定部品を使わず、専用レールの全方位移動型球体構造の戸車取り出し口をスライドし開口するだけで、簡単に専用レールから取り出すことができる特徴を有し、本考案の折り戸は、中折れせず開くことができて、脱衣室側のドア面も水流し清掃が可能となり、しかも両方向に取り出し口を設けている為、折り戸を外し、従来清掃不可能であった箇所も清掃可能となる折戸の安全開閉および固定機構。
【請求項２】
緊急時、両方向取り外し可能な折り戸であって、折り戸の上部下部両角に本考案の全方位移動型球体構造の戸車を設け、上部専用レールおよび下部専用レールの両角に、本考案の全方位移動型球体構造の戸車取り出し口を設け、全方位移動型球体構造の戸車をビスやネジ等の固定部品を使わず、専用レールの全方位移動型球体構造の戸車取り出し口をスライドし開口するだけで、簡単に専用レールから取り出すことができる特徴を有し、緊急時および事故発生時には脱衣室側に中折れせず折り戸を開くことによって間口が広がるため、安全かつ敏速な人命救出が可能となり、両方向に取り出し口を設けている為、折り戸を外し、その折り戸に専用カバーを別に作り設置し、折り戸の材質や専用カバー等共に軽量であって耐久性に富んだ素材を使用することによって、緊急時および事故発生時の患者移動のタンカおよびバックボードとして応用できる折り戸の安全開閉および固定機構。
【考案の詳細な説明】
【技術分野】
【０００１】
本考案は、浴室用、ユニットバス用の折り戸として有用な浴室側はもちろんのこと脱衣室側も容易に水流し清掃することができ、高齢者や車椅子使用者にも対応でき、なお且つ緊急時の対応としても活用でき、さらにパーテーションとしてもサッシまたは網戸としても活用出来る折り戸に関するものである。
【背景技術】
【０００２】
従来、浴室用出入り口に取り付けられるドアとしては図１に例示したような折り戸はヒンジ（図示なし)等を介して互いに連結された２枚のドア体（２）が浴室側ヘ中折れして開いた状態となるもので、より具体的には、開き側（つまり吊元と逆側）の上下部に従来の直線移動車輪型戸車およびガイドピン（図示なし）が設けられ、それらが上下の枠材（６）に設けられたレール（図示なし）に沿って吊元側に向かって走行しながら、ドア体（２）が互いに折り畳まれるように浴室側ヘ中折れする。このような折り戸の各種構造としては,例えば特許文献１記載のものが知られている。
【先行技術文献】
【特許文献】
【０００３】
【特許文献１】特開平１０−１９６２３５号公報
【０００４】
【特許文献２】特開２００５−１２７０８６号公報
【考案の概要】
【考案が解決しようとする課題】
【０００５】
従来の上記折り戸を清掃する場合、浴室側のドア面（１）や連結折れ部（３）等については、閉めた状態で浴室側からシャワーの水を直接かけるなどして簡単に清掃できるものの、脱衣室側のドア面等についてそのような水流し清掃はできなかった。なお且つ吊元側の上下角の部分は絶対汚れが落ちないことが問題点である。
【０００６】
なお且つ浴室内での転倒やけがを負った人の安全な救出や搬送が必要となるような事故発生または、緊急時に患者に無理なく、負担を少なく、敏速に移動させる為の考慮が不十分であった。
【０００７】
緊急時の対応として公表されたものでは、上記特許文献１記載特開平１０−１９６２３５号公報のものがあるが、これは２枚折り戸を中央の連結ヒンジから脱衣室側に向かって両開き状態とする。脱衣室側に両開きしても水流し清掃ができないのは言うまでもなくドアの清掃目的は考慮されていない。このドアは浴室内での転倒やけがを負った人の安全な救出および搬送が必要となるような事故発生に対応する目的で脱衣室側ヘの両開きを可能ならしめたものである。
【０００８】
清掃目的で公表されたものでは、上記特開２００５−１２７０８６号公報のものがあるが、この折り戸は、開き側の上下部に従来の直進移動車輪型戸車およびガイドピンが設けられ、それらがレールに沿って吊元側ヘ走行しながら、浴室内へ中折れして開いた状態となる浴室用折り戸で、従来の直進移動車輪型戸車が折り戸から取り外し可能とされガイドピンが折り戸体内へ引き込み可能とされており、清掃時に戸車を取り外し且つガイドピンを引き込んだ後、吊元側を軸として中折れせず浴室内へ開くようになっているが、戸車を取り外す為には固定ネジを外す必要があるが、固定ネジを取り外すと紛失の恐れあり子供から老人まで操作するには簡単ではない。また、清掃目的で考慮されている為、高齢者、車椅子使用者にも対応できる為の考慮や、浴室内で転倒やけがを負った人の安全な救出および搬出が必要となるような事故発生時の対応には不十分である。
【０００９】
そこで、以上のとおりの事情に鑑みこの考案は、脱衣側の折り戸面等の水流し清掃や従来清掃困難であった箇所を子供から高齢者まで簡単操作にて容易に行うことができ、車椅子使用者、高齢者入浴にも対応できるようにし、なお且つ浴槽内での転倒やけがを負った人の安全な救出および搬出が必要となるような事故発生時や緊急時の対応も敏速に患者に無理なく負担を少なく移動させることのできる両目的を兼ね、先述の欠点を解決しようとするものである。
【課題を解決するための手段】
【００１０】
第一の解決手段においては、本折り戸は、子供から高齢者までワンタッチで簡単に操作できるものとする。本考案は、ドア体に全方位移動型球体構造の戸車（図１−８）をはめたまま、専用レールから簡単に全方位移動型球体構造の戸車（図１−８）を取り出せる、全方位移動型球体構造の戸車取り出し口（図３−２１ａおよび図４−２２ａさらに図７−３１ａと３１ｂ）を上部専用レール（図１−４）と下部専用レール（図１−５）の左右両方向に設け、従来の直進移動車輪型戸車の代わりに本考案の全方位移動型球体構造の戸車（図１１および図１２）を設けることによって、従来の様にドア体から戸車を外す必要もなく、ビスやネジを使う必要もなく、子供から高齢者まで簡単に操作できるものとした。詳しく説明すると、上部専用レールの全方位移動型球体構造の戸車取り出し口（図３−２１ａおよび図４―２２ａ）は、上部専用レールの横面両角に設け、ワンタッチでスライドできる構造とし、下部専用レールの全方位移動型球体構造の戸車取り出し口は下部専用レール（図７−５）を埋め込み式で、おうとつの無いバリアフリーとし、下部専用レール両角に全方位移動型球体構造の戸車取り出し口（図７−３１ａおよび３１ｂ）を設け、ドア体の戸車に自由自在（縦回転および横回転）に転がすことができる本考案の全方位移動型球体構造の戸車（図１１および図１２）を設けることによって自由自在に転がすことができるため、全方位移動型球体構造の戸車の取り出し口（図３−２１ａおよび図４−２２ａさらに図７−３１ａ、３１ｂ）を作っておくことで無理なく簡単に全方位移動型球体構造の戸車を取り外すことが可能になり、ワンタッチ操作で浴室側と脱衣室側両方向に、全方位移動型球体構造の戸車（図１―８）を外し中折れせず浴室内または脱衣室内へ開くことにより問題点を解決している。
【００１１】
第二の解決手段においては、本折り戸は、不可能な清掃箇所が無くなる。本考案は全方位移動型球体構造の戸車（上部戸車図１１および下部戸車図１２）をドア体の左右両方に設けることと、上部専用レール（図５）および下部専用レール（図７）の左右両方に全方位移動型球体構造の戸車取り出し口（図３−２１ａ）（図４−２２ａ）（図７−３１ａおよび３１ｂ）を設けたことにより、従来十分に清掃できなかった箇所（吊元側の上下角の部分）や、折り戸を中折れせずに浴室側に開くことによって折り戸両面が浴室内で水洗い清掃ができるようになり問題点を解決している。
【００１２】
第三の解決手段においては、本折り戸は、高齢者や車椅子使用者にも対応できるものとする。本考案は,折り戸の取っ手を手すりとして使用することが可能で、下部専用レールを埋め込み式のバリアフリーにすることで高齢者や車椅子使用者にも対応できるものとし問題点を解決している。
【００１３】
第四の解決手段においては、本折り戸は、浴室内での転倒やけがを負った人の安全な救出および搬出が必要となるような事故発生時および緊急時の敏速な対応を可能とならしめるための考慮として、両方向に外すことを可能とし、さらに本折り戸を、タンカおよびバックボードとして利用できるものとした。本折り戸は、上部専用レールの左右両角（図２−２１ａと２２ａ）および下部専用レールの左右両角（図２−３１ａと３１ｂ）に本考案の全方位移動型球体構造の戸車取り出し口（図５および図７）を設け、吊元側は脱衣室側ヘ開き側は浴室側ヘ開くことを可能とした為、浴室内での高齢者の転倒や、病人が発作あるいは急病のため、浴室内の入口近くで倒れていても、状況に応じ片側から外し、折り戸を２枚重ねながらよりコンパクトな状態にしもう片方を外すことで患者に無理なくスムーズに折り戸を取り外すことが可能で、ワンタッチで簡単に操作できる為、緊急時も敏速に対応できるものとし問題点を解決している。しかも、取り外した折り戸は別に作った専用のカバーを付けることによって、タンカおよびバックボードとして併用することを可能とした。
【考案の効果】
【００１４】
上述の様に本考案の折り戸は、従来の直進移動車輪型戸車に代わり全方位移動型球体構造の戸車を設け、専用レールに戸車取り出し口を設けたことで、中折れせず浴室内へ開けることを可能とし、脱衣室面のドアの水流し清掃ができることは勿論、第一の効果として本折り戸は、吊元側と開き戸側の両方から開けることを可能とした為、不可能な清掃箇所が無くなった。第二の効果として本折り戸は、従来の直進移動車輪型戸車に代わりに本考案の全方位移動型球体構造の戸車をドア体に設けたことで従来のようにビスやネジなどの固定器具を使わず、専用レールに戸車取り出し口を設け専用レールの横面両角をスライドするだけで簡単に両方向に開けることが可能となり、子供から高齢者までワンタッチで操作できるようにした。第三の効果として本折り戸は、折り戸の取っ手を手すりとして使用することとバリヤフリーにすることで高齢者や車椅子使用者にも対応することができる。さらに、折り戸の場合は、ほかのドアと違い開閉時に手を挟んだり、換気の際に風でドアが閉鎖する心配がないのは勿論、本考案の折り戸はドアの角を丸くしたことで、高齢者が足をぶつけても表皮剥離しないような安全な構造とした。第四の効果として本折り戸は、左右両方向に本考案の全方位移動球体構造の戸車と取り出し口を設けたことで左右両方に折り戸を取り外せる為、浴室内での転倒やけがを負った人の安全な救出および搬出が必要となるような事故発生時および緊急時の対応として折り戸本体を取り外し別に作った専用カバー（図２２および図２３）を取り付けることでタンカおよびバックボードとして利用することができることで安全かつ敏速な患者の搬送が可能となり、救急車到着までの応急処置に役立つ。第五の効果として本折り戸は、本考案の全方位移動型球体構造の戸車を設けたことで自由自在に動かせることにより折り戸式サッシとしての利用ができる。第六の効果として本折り戸は、本考案の全方位移動型球体構造の戸車を設けたことで自由自在に動かせることによりパーテーションとして利用できるようになる。さらにドア，間仕切り，コーナーとしての使用が可能となる。第七の効果として本折り戸は、従来の張替が困難であった折り戸式網戸の欠点を克服し、本考案の全方位移動型球体構造の戸車および専用レールに戸車取り出し口を設けたことで、簡単に折り戸式網戸を取り外し、網戸の張替が一般家庭でも簡単にできるようになる。
【図面の簡単な説明】
【００１５】
【図１】本考案の実施形態（第一の実施例）を例示した折り戸の全体像の斜視図である。
【図２】本考案の実施形態（第一の実施例）を例示した折り戸の開いた状態を表した            斜視図である。
【図３】本考案の実施形態（第一の実施例）を例示した上部専用レールの浴室側から見た横面図である。
【図４】本考案の実施形態（第一の実施例）を例示した上部専用レールの脱衣室側から見た横面図である。
【図５】本考案の実施形態（第一の実施例）を例示した上部専用レールの床面から見た平面図である。
【図６】本考案の実施形態（第一の実施例）を例示した上部専用レールの浴室側から見た断面図である。
【図７】本考案の実施形態（第一の実施例）を例示した下部専用レールの平面図である。
【図８】本考案の実施形態（第一の実施例）を例示した下部専用レールの脱衣室側から見た全方位移動型球体構造の戸車取り出し口（浴室側への戸車取り出し口）部分の斜視図である。
【図９】本考案の実施形態（第一の実施例）を例示した下部専用レールの脱衣室側か            ら見た全方位移動型球体構造の戸車取り出し口（脱衣室側への戸車取り出し口）部分の斜視図である。
【図１０】本考案の実施形態（第一の実施例）を例示した下部専用レールの全方位移動型球体構造の戸車取り出し口部分の断面図である。
【図１１】本考案の実施形態（（第一の実施例）を例示した全方位移動型球体構造の戸車の上部戸車の断面図である。
【図１２】本考案の実施形態（第一の実施例）を例示した全方位移動型球体構造の戸車の下部戸車の断面図である。
【図１３】本考案の実施形態（第一の実施例）を例示した全方位移動型球体構造の戸車とドア体との接続部品の側面図である。
【図１４】本考案の実施形態（第一の実施例）を例示した全方位移動型球体構造の戸車とドア体との接続部品の上面部分の平面図である。
【図１５】本考案の実施形態（第一の実施例）を例示した全方位移動型球体構造の戸車とドア体との接続部品の斜視図である。
【図１６】本考案の実施形態（第一の実施例）を例示した全方位移動型球体構造の戸車とドア体との接続部品の下面部分の平面図である。
【図１７】本考案の実施形態（第一の実施例）を例示した図１１における全方位移動型球体構造の戸車の上部戸車の上面の平面図である。
【図１８】本考案の実施形態（第一の実施例）を例示した図１１における全方位移動型球体構造の戸車の上部戸車の底面の平面図である。
【図１９】本考案の実施形態（第一の実施例）を例示した図１２における全方位移動型球体構造の戸車の下部戸車の上面の平面図である。
【図２０】本考案の実施形態（第一の実施例）を例示した図１２における全方位移動型球体構造の戸車の下部戸車の底面の平面図である。
【図２１】本考案の実施形態（第二の実施例）を例示した本折り戸の開閉状態について説明するための平面図である。
【図２２】本考案の実施形態（第三の実施例）を例示した緊急時の本折り戸の利用法である人命救出のためのタンカおよびバックボード専用のカバーを示す平面図である。
【図２３】本考案の実施形態（第三の実施例）を例示した緊急時の本折り戸の利用法である人命救出のためのタンカおよびバックボード専用のカバーを示す立体図である。
【図２４】本考案の実施形態（第四の実施例）を例示した折り戸式パーテーションのドア体底の部分の平面図である。
【図２５】本考案の実施形態（第四の実施例）を例示した折り戸式パーテーションの設置例を表す斜視図である。
【図２６】本考案の実施形態（第四の実施例）を例示した折り戸式パーテーションの専用レールを天井埋め込み式にした場合のパーテーションの収納例である。
【図２７】本考案の実施形態（第四の実施例）を例示した折り戸式パーテーションの天井埋め込み式専用レールの設置構造を表す天井部分の平面図である。
【図２８】本考案の実施形態（第四の実施例）を例示した折り戸式パーテーションの専用レールを天井吊り式にした場合のパーテーションの収納例である。
【図２９】本考案の実施形態（第四の実施例）を例示した折り戸式パーテーションの天井吊り式専用レールの天井部分の設置構造を表す平面図である。
【図３０】本考案の実施形態（第四の実施例）を例示した折り戸式パーテーションの天井吊り式専用レールの平面図である。
【図３１】本考案の実施形態（第四の実施例）を例示した折り戸式パーテーションの天井吊り式専用レールの斜視図である。
【図３２】本考案の実施形態（第五の実施例）を例示した折り戸式サッシの閉めた状態を表す平面図である。
【図３３】本考案の実施形態（第五の実施例）を例示した折り戸式サッシの開けた状態を表す平面図である。
【図３４】本考案の実施形態（第六の実施例）を例示した折り戸式サッシをシアタールームとする場合のドア面の構造を表す平面図である。
【考案を実施するための形態】
【００１６】
本考案の折り戸は、上部専用レール横面の両角を内側にスライドしワンタッチで開口できる全方位移動型球体構造の戸車取り出し口（図３−２１ａおよび図４−２２ａ）を作る。さらに下部専用レール横面の両角に全方位移動型球体構造の戸車取り出し口を作り、下部の専用レールは床に埋め込みバリヤフリー仕様にする。次にドア体の両角（図１−８）に取り付けた全方位移動型球体構造の戸車（図１１および図１２）に数個の小球体ローラー（図１８−４３および図１９−４３）を使い本考案では６個の小球体ローラーを使うさらに下部戸車（図１―８ｂ）の球体は６個の小球体ローラー（図１９−４３）の中央に大球体ローラー（図２０−４８）を設けることにより自由自在（縦回転および横回転）に回転するため簡単に全方位移動型球体構造の戸車を専用レールから外し浴室側に中折れせず開くことが可能となり、浴室内での水流し清掃や、従来清掃不可能であった箇所が清掃できるようになる。しかも、浴室内に中折れせず開いた折り戸の取っ手を手すりとして使用することが可能であり、高齢者、車椅子使用者の対応としても活用できる。さらに、浴室内での転倒やけがを負った人の安全な救出および搬出が必要となるような事故発生時および緊急時は、左右両方の戸車を外し専用カバーを取り付ければ折り戸をタンカおよびバックボードとして利用することができる。また本考案折り戸の、全方位移動型球体構造の戸車は、全方位に移動、自由自在（縦回転および横回転）に動かせるため、折り戸式パーテーションとしての活用も可能となる。なお且つ、折り戸式サッシとしての利用も可能で従来のサッシに比べると間口が広がり、サッシのガラス部分を軽量金属を用い上下にスライドさせ暗室にするとシアタールームとして活用も可能である。折り戸式網戸として利用すると従来困難であった折り戸式網戸の張り替えも簡単にできる。
【実施例】
【００１７】
まず、第一の実施例は、安全で簡単に折り戸を専用レールから取り外し、従来清掃不可能であった箇所を無くすための工夫である。以下、添付図面に従って第一の実施例を説明する。本考案の折り戸（図１）はドア体の上部の左右、下部の左右（８）に本考案の全方位移動型球体構造の戸車（図１１および図１２）を設け上部専用レールおよび下部専用レールを設ける。本考案の戸車は数個の小球体ローラー（図１８−４３および図１９−４３）を用い（今回は６個の小球体ローラーを使用）さらに下部戸車には６個の小球体ローラー（図１９−４３）と合わせて中央に大球体ローラー（図２０−４８）を設け自由自在（縦回転および横回転）に動くことを可能とし、上部専用レールの横面の角（図３−２１ａ）を内側にスライドさせワンタッチで開口できる構造とし浴室内へ本考案の全方位移動型球体構造の戸車の上部戸車（８ａ）を引き出す。さらに下部専用レール（図７）を床に埋め込み式のバリヤフリーにすることによって本考案の全方位移動型球体構造の戸車取り出し口（図７−３１ａ）からスムーズに取り出すことができ吊元側を軸として中折れせず浴室内へ開く（図２）ことが可能となり、浴室内での水流し清掃や、従来清掃不可能であった箇所の清掃ができるようになる。
【００１８】
次に、第二の実施例は、高齢者および車椅子使用者にも対応するための適用例である。本考案の折り戸は、前項で述べたように折り戸のドア体に全方位移動型球体構造の戸車（図１１および図１２）を設けたことと、上部専用レールにスライド式の戸車取り出し口（図６−２１a）および下部専用レールを床に埋め込み式（図１０）のバリアフリーにすることで入浴用折り戸を２枚折れせずに浴室側ヘ開けること（図２１参照）で本折り戸のドア面に付けた取っ手（図２１−７）を手すりとして利用できる。よって、車椅子での入浴も可能とした。
【００１９】
次に第三の実施例は、浴室内での転倒やけがを負った人の安全な救出および搬出が必要となるような事故発生時および緊急時の敏速な対応をするための工夫である。図２１は、開閉状態を表したもので本考案の折り戸（図１）は、浴室内での転倒やけがを負った人の安全な救出および搬出が必要となるような事故発生時および緊急時に対応可能にするため、図２１の矢印の方向のどちらにも開閉することができる。図２２および図２３は、緊急時に人物の搬送または移動が必要とされる場合、折り戸を外し折り畳んだままの状態にして別に作った専用のカバー（図２３）の二枚重ねあった強化布（６１ａと６１ｂ）の間に入れ面ファスナー（図２３−Ｂ６５ａと６５ｂ）を合わせて固定し、患者を乗せ固定ベルト穴（図２２−６３）にセットしたベルト（図２２−６７）を患者の体に装着し面ファスナー（図２２−６８）で患者の体をしっかりと固定しタンカおよびバックボードとして応用する。折り戸のドア面（図１−１）は耐久性があり軽量の物とする。別に作った専用のカバー（図２３−６１ａおよび６１ｂ）は強化布を使用し、ビニールベルト（図２２−６７）と共に耐久性があるものとする。
【００２０】
次に、第四の実施例においては、本折り戸は、固定したドアに限らずパーテーションとしての利用ができる。折り戸に本考案の全方位移動型球体構造の戸車（図１２）を設けると全方位に移動が可能で、自由自在（縦回転および横回転）に動かせる為、下部専用レールを必要とせず、従来のパーテーション設営の時間と経費、労力を削減できるほか、扉、間仕切り、コーナーとしての使用が可能となる。しかし、より優れた耐震性を求めるなら下部専用レールを床に埋め込む方法も可能である。今回は上部専用レールを天井に埋め込む方法（図２７）が一通りと、前項とは対照的に上部専用レールを天井から吊るす方法（図２９）の二通りを例示する。さらに、より安全に安定したものとするため、本考案の折り戸式パーテーションは、下部ドア体底（図２４−１０１）にＴ字プロペラスライド収納固定レール（図２４―１０２）を設けＴ字プロペラ固定版（図２４−１０４）を設置する。Ｔ字プロペラ固定版は９０度に回転する構造とし、設営時にはＴ字プロペラスライド収納固定レール（図２４−１０２）を滑らせ本考案の全方位移動型球体構造の戸車の下部戸車（図２２−８ｂ）の横で固定させる。さらに、下部ドア体底（図２２−１０１）の連結折れ部（図２２−３）の左右に高さ調節安定ボルト（１０６ａ）を２か所設置する。天井から吊るしたパーテーション吊り式専用レール（図３０）は設営時にそのつど設営状況に合わせて設置する。パーテーション専用レールは、パーテーション吊り式専用レール戸車取り出し口（図３０―１１７）を設けているため簡単に設置することが可能となる。図２６および図２８は折り戸式パーテーションの収納箇所を表した立面図で、部屋の壁面の床の部分に下部専用レールを設け、今回の考案で例示した上部専用レールを天井に埋め込む方法では、天井面に上部専用レール（図２７−１１３）を設け天井から吊るす方法では、壁面に上部専用レール（図２８−４）を設け壁面にそって収納する。
【００２１】
次に、第五の実施例においては、本折り戸は、サッシとしての利用ができる。本折り戸式サッシは、本考案の全方位移動型球体構造の戸車の上部戸車（図１１）をドア体上部（図３２−８ａ）に設け下部戸車（図１２）をドア体下部（図３２−８ｂ）に設け本折り戸式サッシを設置すると従来のサッシと違い全開した範囲が広がり（図３３）扉にも早変わりする。
【００２２】
次に、第六の実施例においては、本折り戸は、サッシのガラス部分を変えることでカーテン要らずで暗室（図３４）となり、シアタールームにも早変わりする。本折り戸式サッ
シは、本考案の全方位移動型球体構造の戸車（図１１および図１２）をドア体（図３２−８ａおよび８ｂ）に設け設けサッシのガラス部分の折り戸の下半分（図３４−１２２）を暗室となる材質にし二枚重ねにすることで図３４−１２２を一枚を上にスライドさせ窓全体を暗室とすることができるため、シアタールームとしての使用が可能となる。
【００２３】
次に、第七の実施例においては、本折り戸式網戸にすることで、従来の折り戸式網戸は張り替えや清掃が容易ではなかったが、本考案の全方位移動型球体構造の戸車（図１１および図１２）を設けることにより、折り戸式網戸を取り外しての網戸の張り替えまたは清掃が可能となるため、簡単に折り戸式網戸の張り替えまたは清掃ができるようになる。
【符号の説明】
【００２４】
１  ドア面
２  ドア体
３  連結折れ部
４  上部専用レール
５  下部専用レール
６  枠材
７  取っ手
８  戸車
８ａ  上部戸車
８ｂ  下部戸車
２１ａ  上部浴室側全方位移動型球体構造の戸車取り出し口
２１ｂ  上部浴室側スライド収納部分
２２ａ  上部脱衣室側全方位移動型球体構造の戸車取り出し口
２２ｂ  上部脱衣室側スライド収納部分
３１ａ  下部浴室側全方位移動型球体構造の戸車取り出し口
３１ｂ  下部脱衣室側全方位移動型球体構造の戸車取り出し口
３２  浴室側床面
３３  脱衣室側床面
４０  円柱ネジ
４１  円柱ピン
４２  リング
４３  小球体ローラー
４４  円盤
４５  円盤ゴム
４６  円柱ピン止め穴
４７  円柱ピン止め
４８  大球体ローラー
５１  全方位移動型球体構造の戸車のドア取り付け具
５２  ドア取り付けネジ穴
５３  ドア取り付けネジ
５４  円柱ピンの固定版
５５  円柱ピンの通し穴
６１  強化布
６２  持ち手
６３  固定ベルト
６４  縫い目
６５ａ  面ファスナー
６５ｂ  面ファスナー
６６  枕
６７  ビニールベルト
６８  面ファスナー
１０１  下部ドア体底
１０２  Ｔ字プロペラスライド収納固定レール
１０３ａ  Ｔ字プロペラスライド収納ネジ穴
１０３ｂ  Ｔ字プロペラローラーネジ
１０４  Ｔ字プロペラ固定版
１０５  滑り止めゴム
１０６ａ  高さ調節安定ボルト
１０６ｂ  高さ調節安定ボルト穴
１０７  ゴム
１０８  ドア
１０９  折り戸式パーテーション
１１０  壁
１１１  フロアー
１１２  天井板
１１３  天井埋め込み式パーテーション専用レール
１１４  天井張り
１１５ａ  パーテーション天井固定ボルト止め
１１５ｂ  パーテーション吊り式専用レール天井固定ボルト
１１６  パーテーション吊り式専用レール
１１７  パーテーション吊り式専用レール戸車取り出し口
１２１  ガラス
１２２  軽量金属
１２３  低反発ゴム
【図１】
0003162172.tif 000003
【図２】
0003162172.tif 000004
【図３】
0003162172.tif 000005
【図４】
0003162172.tif 000006
【図５】
0003162172.tif 000007
【図６】
0003162172.tif 000008
【図７】
0003162172.tif 000009
【図８】
0003162172.tif 000010
【図９】
0003162172.tif 000011
【図１０】
0003162172.tif 000012
【図１１】
0003162172.tif 000013
【図１２】
0003162172.tif 000014
【図１３】
0003162172.tif 000015
【図１４】
0003162172.tif 000016
【図１５】
0003162172.tif 000017
【図１６】
0003162172.tif 000018
【図１７】
0003162172.tif 000019
【図１８】
0003162172.tif 000020
【図１９】
0003162172.tif 000021
【図２０】
0003162172.tif 000022
【図２１】
0003162172.tif 000023
【図２２】
0003162172.tif 000024
【図２３】
0003162172.tif 000025
【図２４】
0003162172.tif 000026
【図２５】
0003162172.tif 000027
【図２６】
0003162172.tif 000028
【図２７】
0003162172.tif 000029
【図２８】
0003162172.tif 000030
【図２９】
0003162172.tif 000031
【図３０】
0003162172.tif 000032
【図３１】
0003162172.tif 000033
【図３２】
0003162172.tif 000034
【図３３】
0003162172.tif 000035
【図３４】
0003162172.tif 000036
【手続補正書】
【提出日】平成22年6月14日(2010.6.14)
【手続補正１】
【補正対象書類名】実用新案登録請求の範囲
【補正対象項目名】全文
【補正方法】変更
【補正の内容】
【実用新案登録請求の範囲】
【請求項１】
上下平行に設置された凹状のレールに狭持される折り戸であって、折り戸の左右両端の各上下部には、全方位移動型球体構造の戸車を設けており、当該球体戸車は、専用レールの凹部を摺動自在に移動できるようにしており、上下専用レールの両端には側面開口部を設けたことで、両方向取り外し可能となり、かつ、上部専用レールの側面開口部は、側面に沿ってスライドし簡単で安全に開閉自在としたことを特徴とする折り戸の安全開閉および固定機構。
【請求項２】
上下平行に設置された凹状のレールに狭持される折り戸であって、折り戸の左右両端の各上下部には、全方位移動型球体構造の戸車を設けており、当該球体戸車は、専用レールの凹部を摺動自在に移動できるようにしており、上下専用レールの両端には側面開口部を設けたことで、両方向取り外し可能となり、下部専用レールは床面に埋め込みバリアフリー仕様とし、さらに凹部を筒状とし、かつ、上部レールの側面開口部は、側面に沿ってスライドし簡単で安全に開閉自在としたことを特徴とする折り戸の安全開閉および固定機構。